(57)【要約】  手持ち式パーソナルケア装置は、再充電可能な電源（１３）を収容し、電気接触部（１７、２０）を有するハンドル（２）と、ハンドルに取り外し可能に取り付け可能であり、ハンドルの接触部に接続するための接触部（１２１、１２３）を有する動作ヘッド（３）と、電源を再充電するための、ハンドルの接触部に接続するための接触部を有する充電装置を含む。動作ヘッドは、電源を再充電するためにハンドルから取り外されなくてはならない。異なる動作ヘッドが、ハンドルに取り付け可能であり、振動する安全かみそり、ヘアトリマーなどを形成してもよい。
2010536462.tif 000002
【特許請求の範囲】
【請求項１】
電気接触部を含み、前記電気接触部に電流を供給するための再充電可能な電源を収容するハンドルと、
前記ハンドルと取り外し可能に係合可能であり、前記電源から供給される電流によって動作する電気装置を含む動作ヘッドであって、前記動作ヘッドが前記ハンドルに係合した際に、前記ハンドルの前記電気接触部と協働する電気接触部を有する動作ヘッドと、
前記電源を再充電するための充電装置であって、再充電電流を前記電源に供給するために、前記ハンドルの前記電気接触部に係合可能な電気接触部を有する充電装置と、を備えた手持ち式パーソナルケア装置。
【請求項２】
前記ハンドル及び前記充電装置が、前記電源を再充電するために、前記ハンドルを前記充電装置に機械的及び電気的に接続するための、前記電気接触部を含む補完的な連結部材を有する、請求項１に記載の手持ち式パーソナルケア装置。
【請求項３】
前記連結部材が、差し込み連結部の雄型連結部材及び雌型連結部材を含む、請求項２に記載の手持ち式パーソナルケア装置。
【請求項４】
前記雌型連結部材が、前記ハンドルの端部に設けられて、内部に差し込みスロットを含む円筒形スリーブ部を有しており、
前記雄型部材が、前記充電装置に設けられて、前記スリーブ部に係合可能なプラグ部と、前記差し込みスロットに係合可能な突起部とを有する、請求項３に記載の手持ち式パーソナルケア装置。
【請求項５】
前記プラグ部が、前記スリーブ部に設けられた各差し込みスロットに係合するための、直径方向に対向する一対の突起部を有する、請求項４に記載の手持ち式パーソナルケア装置。
【請求項６】
前記ハンドルを前記電気接触部の外側で前記充電装置に封止する封止構成体を備えた、請求項１に記載の手持ち式パーソナルケア装置。
【請求項７】
前記ハンドルが、前記差し込みスロットの軸方向内側で前記スリーブ部の周囲に延びる環状封止部を有する、請求項４に記載の手持ち式パーソナルケア装置。
【請求項８】
前記ハンドルが、前記装置の使用中における前記動作ヘッドへの前記電流の供給を制御するための、及び再充電している間に前記電源への電流の供給を制御するための、スイッチ構成体を有する、請求項１に記載のパーソナルケア装置。
【請求項９】
前記動作ヘッドが安全かみそりヘッドであり、前記電気装置が電気駆動の振動生成装置である、請求項１に記載のパーソナルケア装置。
【請求項１０】
前記動作ヘッドが、トリマーブレードアセンブリを含むヘアトリマーユニットを有しており、
前記電気装置が、前記ブレードアセンブリのブレード要素を駆動するための電気モーターを有する、請求項１に記載のパーソナルケア装置。
【発明の詳細な説明】
【技術分野】
【０００１】
本発明は手持ち式パーソナルケア装置、特に再充電可能な電池を備えたこのような装置に関する。
【背景技術】
【０００２】
再充電可能な電池から電力を供給される電気装置を備えた、様々な形態の手持ち式パーソナルケア装置が周知である。充電が使い果たされた場合、装置の更なる使用を可能にするために電池を再充電する必要があり、異なる充電構成がまた既知である。いくつかの装置は、電気ケーブルによって充電装置に取り付けられるプラグを挿入することができる電気ソケットを備える。電気ソケットは、多くの場合、装置のハンドル上に位置する。充電装置は通常、主要電源から電力を供給されるが、低い再充電電圧のみが装置に接続される。このような構成では、装置は、電池が再充電されている間に使用され得る。安全性の観点から、ある状況においては、電池式手持ち式装置が、それ自体が主要電源に接続される装置に接続されるときに、使用され得ないことが少なくとも好ましい。誘導的な充電装置がまた一般的に使用され、この場合、装置及び充電ユニットは、誘導コイルを有し、それにより、これらの間における直接的な電気的接続を必要とすることなく充電が実行され得る。誘導的な充電構成では、装置は水の浸入に対して完全に封止され得、電池が再充電されている間は使用できない。しかしながら、充電速度は一般的に遅く、誘導コイルを、他の設計検討から望ましいことがある金属製ハンドルなどの金属製ケーシング内部に収容することができない。
【発明の概要】
【発明が解決しようとする課題】
【０００３】
したがって、手持ち式パーソナルケア装置の電池が金属製ハンドルを通じて高速で充電されることを可能にし、装置が使用されているときに、装置が、それ自体が主要電源に接続され得るいかなる装置にも電気的に接続されていないことを確実にする構成に対する必要性が存在する。
【課題を解決するための手段】
【０００４】
本発明は、特定される必要性を単独で満たすことを目指し、本発明によって、電気接触部を有し、電気接触部に電流を供給するための再充電可能な電源を収容するハンドルと、ハンドルと取り外し可能に係合可能であり、電源から供給される電流によって動作する電気装置を含む、動作ヘッドであって、動作ヘッドがハンドルに係合した際に、ハンドルの電気接触部と協働する電気接触部を有する動作ヘッドと、電源を再充電するための充電装置であって、再充電電流を電源に供給するために、ハンドルの電気接触部に係合可能な電気接触部を有する充電装置と、を備える手持ち式パーソナルケア装置が設けられる。
【０００５】
本発明を具現する装置において、電源を再充電するために充電装置からの充電電流の供給のために利用される、ハンドルの上の電気接触部は、装置の使用中に動作ヘッドに電流を供給するものと同じ接触部である。結果として、動作ヘッドは、ハンドルが電源を再充電するために充電装置に接続され得る前に、ハンドルから係合離脱しなくてはならない。したがって、装置は、電源が再充電されている間は、使用することができない。ハンドルと充電装置の間に直接的な電気的接続が存在することによる速い充電速度に加えて、ハンドルの材料には制限が課されない。
【０００６】
好ましい構成では、電源を再充電するためにハンドルを充電装置に機械的及び電気的に接続するため、ハンドル及び充電装置は補完的な連結部材、例えば、差し込み連結部の補完的な雄型連結部材及び雌型連結部材を有する。特定の実施形態では、雌型連結部材はハンドルの端部に設けられ、内部に差し込みスロットを含む円筒形スリーブ部を有しており、充電装置に設けられた雄型部材は、スリーブ部に係合可能なプラグ部と、差し込みスロットに係合可能な突起部とを有する。
【０００７】
ハンドルを、電気接触部の外側で充電装置に封止するために、封止構成体が設けられ得る。特に、ハンドルは、充電装置の上のプラグ部を囲う円筒形部分と協働するための、差し込みスロットの軸方向内側でスリーブ部の周囲に延びる環状封止部を有することができる。
【０００８】
便利に、ハンドルは、装置の使用中における動作ヘッドへの電流の供給を制御するための、及び／又は再充電している間に電源への電流の供給を制御するための、スイッチ構成体を有する。
【０００９】
様々な形態の動作ヘッドが可能である。一実施形態では、動作ヘッドは安全かみそりヘッドであり、電気装置は、電力を供給される振動生成装置である。別の動作ヘッドは、トリマーブレードアセンブリを含むヘアトリマーユニットを有しており、電気装置はブレードアセンブリのブレードを駆動するための電気モーターを備える。
【００１０】
本発明の完全な理解が以下の「発明を実施するための形態」から得られ、ここで添付の図面が参照される。
【図面の簡単な説明】
【００１１】
【図１】本発明による手持ち式装置を組み込むパーソナルヘア手入れ装置の図。
【図２】図１の装置を図示するが、ハンドル内に収容される再充電可能な電池を再充電するための再充電装置に係合する装置のハンドルを備える。
【図３】再充電装置の接続ソケットを図示する、上方からの図。
【図４ａ】図１に例示される装置の構成要素から組み立てられる各装置を図示する正面図。
【図４ｂ】図１に例示される装置の構成要素から組み立てられる各装置を図示する正面図。
【図４ｃ】図１に例示される装置の構成要素から組み立てられる各装置を図示する正面図。
【図５】ハンドル及びヘアトリミング装置の形態の動作ヘッドを通る横断面図。
【図６】組み立てられた、ハンドル及びトリミング装置の連結区域を通る、拡大横断面図。
【図７】充電装置を備えるハンドルの、係合した連結区域を通る拡大横断面図。
【発明を実施するための形態】
【００１２】
パーソナルケア装置、特にパーソナル手入れ装置が、図１及び図２に例示される。装置の構成要素は、充電装置１、ハンドル２、ヘアトリミング装置３、安全かみそりヘッド４、及びトリマー櫛取り付け具５を備える。充電装置１は、他の構成要素のための収納ホルダーを提供する基部の形態を有し、この目的のために、ハンドル２及び動作ヘッド３、４のための、凹型保持区域、並びに櫛取り付け部５のためのスタンドを備える。充電装置は、以下で更に記載されるように、基部ケーシングの内部に収納される電池充電器、及びハンドルを差し込むための再充電ソケット６を備える。トリミング装置３及び安全かみそりヘッド４は、各手持ち式手入れ装置、即ち、図４ｂに図示されるヘアトリマー、及び図４ａに図示される振動する安全かみそりの組立てのために、ハンドルに取り外し可能に取り付けることができる。加えて、櫛取り付け部５は、トリミング装置３に適合され、図４ｃに図示される、改善されたトリミング装置を形成する。ヘアトリミング装置３及びハンドル２は、図５でより詳細に例示される。電源ユニットを形成するハンドル２は、再充電可能な電池１３が収容される電池区画と、ハンドルに取り付けられたときに電池１３からトリミング装置３への電流の供給を制御するための、スイッチ構成体１４とを備える。ハンドルをトリミング装置に電気的にかつ機械的に接続するための連結部が設けられ、ハンドル２の上に雌型連結部材１５、トリミング装置３の上にに雄型連結部材１６を備える。組み立てられた連結部が、図６に拡大されて図示される。雌型連結部材１５は、ハンドルの上端部に位置するスリーブ部１７を有し、その端部に固定凹部１９を有する一対の対称的な差し込みスロット１８を備える。ピンの形態の第１電気接触部２０がスリーブ部１７の内部で中央に位置付けられ、これはばね仕掛けであり、ハンドルの上端部の方に軸方向に推進される。雄型連結部材１６は、スリーブ部１７内での摺動係合により、雌型連結部材と噛み合うように適合されるプラグ２１を有し、プラグ部は、各差し込みスロット１８と協働するように構成される、直径方向に対向する一対のピン突起部２２を有する。第２電気接触部２３が、プラグ部２１の内部で中央に位置し、電気絶縁体２４がその間に配置される。雄型連結部材１５、と雌型連結部材１６が完全に係合したとき、第１接触部２０と第２接触部２３は、第１接触部のばね荷重により、圧迫されて緊密に隣接し、このばね荷重はまた、ピン突起部２２を差し込みスロット１８の固定凹部１９内へと推進し、ハンドル２から意図せず外れることのないように、トリミング装置３を固定するように機能する。追加のばね荷重は、雄型プラグ部２１内に中央接触部２３をばねマウントすることにより適用することができる。スリーブ部１７及びプラグ部２１は、更に電気接触部を形成し、これは協働してハンドル内の電池とトリミング装置との間の電流の流れのための、回路を完成する。好ましくは中央接触部２０、２３は、電気コネクタの正極性接続を提供し、接触部１７、２１は電気コネクタの負極性接続を提供する。トリミング装置３は、差し込み連結部の雄型部材及び雌型部材を囲うためのプラグ部２１を囲む、フード又は囲い板２５を有し、電気接触部への水分の浸入を防ぐ。雌型部材は、差し込みスロット１８の軸方向内側でスリーブ部１７に設けられた周囲の溝に配置された、Ｏリング状封止部などの環状封止部２６を有し、囲い板２５は、封止部２６を覆って緊密なフィットを有し、雄型連結部材及び雌型連結部材が係合したときの、囲い板とハンドルの間の防水接続を確実にする。
【００１３】
差し込み連結部は、ハンドルとヘアトリミング装置の間の堅く確実な機械的接続をもたらし、一方でまたこれらの間の良好な電気的接続を確実にする。更に、連結部は容易に開放してトリミング装置をハンドルから分離することができ、電池を再充電する、及び異なる形態の動作ヘッドを、ハンドル、例えば安全かみそりヘッド４に動作可能に接続することを可能にするが、これは従来的なシェービングカートリッジ５６を受容するように適合され、これはコインモーターなどの、振動生成装置を駆動するためのモーターを備える。理解されるように、安全かみそりヘッド４をハンドル２に接続するために利用される連結部は、トリミング装置３に関して先に記載されたものと正確に同じであってもよく、囲い板２５はハンドルに封止され、それによって、かみそりヘッドがシェービングカートリッジをすすぐために完全に水に浸された場合であっても水が電気接触部に触れる恐れがない。
【００１４】
トリミング装置は、駆動ユニット３０及びトリマーユニット３１を備える。雄型連結部材１６及び囲い板２６が、駆動ユニットのハウジング３２上に設けられ、この中に、電気回転モーター３３及び、モーターシャフト３５の回転運動を駆動ピンの形態の駆動出力部材３６の往復運動へと変換するための伝送機構３４が収容される。モーターの電気端子が、モーターを駆動するために、ハンドル内の電池１３からの電流を供給するため、トリミング装置の電気接触部２１及び２３と接続される。駆動ユニットの前部にトリマーユニット３１用の取り付けプレート４０が接続され、取り付けプレートは、駆動ユニットに対して上下平行運動するように案内され、その目的は以下で明確になる。トリマーユニットは取り付けプレート４０に保持され、その結果トリマーユニット３１は、取り付けプレート４０を回転し、及びしたがって駆動ユニット３０をも回転することができる。トリマーユニットは、第１トリマーアセンブリ４２、及び第２トリマーブレードアセンブリ４３を備える。第１ブレードアセンブリ４２は、比較的長く、一直線上であり、トリマーユニットの面板４５に固定して取り付けられた第１トリマーブレード４４、及び、第１トリマーブレードに対して往復運動するように案内され、ブレード駆動要素４７に取り付けられる第２トリマーブレード４６を備える。第２ブレードアセンブリ４３は、比較的短く、凸状の外形を有し、面板４５に固定して取り付けられた第１トリマーブレード４８、及び第１トリマーブレード４８に関する曲線状の経路に沿って往復運動するように案内され、旋回軸５１によって面板４５に取り付けられるブレード駆動要素５０に取り付けられた第２トリマーブレード４９を備える。ブレード駆動要素４７、５０は、ブレード駆動要素を往復運動させ、またブレード駆動要素に取り付けられたトリマーブレードを往復運動させるために、駆動出力ピン３６に係合可能なスロットを含む。
【００１５】
それぞれ図７及び図８に例示されるように、取り付けプレート４０が、駆動ユニットに対して上方に移動される場合、トリマーユニット３１は、取り付けプレートに関して回転され、第１ブレードアセンブリ４２、又は第２ブレードアセンブリ４３のいずれかを、動作位置に選択的に調節することができる。取り付けプレート４０の下方への移動では、トリマーユニットは次いで駆動出力ピン３６を、動作位置に配置されるトリマーブレードアセンブリ４２、又は４３のブレード駆動要素４７、又は５０のスロットに係合させる。モーター３３の作動は、次に、選択されたトリマーブレードアセンブリを作動させ、一方で、他方のトリマーブレードアセンブリは、駆動出力ピン３６から分離したままである。
【００１６】
２つの形態の動作ヘッドのみが記載されてきたが、ハンドル２に取り付け可能な他の追加的な、又は別の形態の動作ヘッドが可能であり、例えば、鼻毛トリマー、エクスフォリエーター、眉毛トリマー、スキンクリームアプリケータ、液体分配器、及び／又はマッサージ器を提供することが理解される。１つの動作ヘッドのみが存在することもまた、本発明の範囲内である。
【００１７】
電池再充電基部１は、構成要素のための有用な収容ユニットを提供するが、最も重要なことは、ハンドル２に適合される電池の再充電部として機能する。それ自体が周知であり図面には図示されない、必要な電気的な再充電回路に加え、再充電装置は、図２で、及び図７でより詳細に例示されるようにハンドルを差し込むためのソケット６を備える。ソケットは、雄型連結部材１６の接触部２１、２３と同じ大きさ及び構成である、電気接触部１２１及び１２３を有し、これによって動作ヘッド３及び４がそれぞれ設けられる。結果として、ハンドル２は、反転されて、ソケットに挿入されることができ、それにより、ハンドル及び再充電装置に設けられた差し込み連結部を通じて良好な機械的及び電気的接続が達成される。このようにして、ハンドル２内の再充電可能な電池１３への再充電電流の流れのために、ハンドルの接触部１７、及び２０が、対応するソケットの接触部１２１及び１２３と良好な電気的接触を有する。ハンドルのスイッチ１４は、電流の流れを制御するように構成されてもよい。あるいは、この目的のために、スイッチが再充電基部上に設けられてもよく、又は別個のスイッチ構成体がハンドル内に含まれ得る。必要であれば、電池の充電状態を示す表示器がまた、基部上に設けられ得る。図７に見られるように、接触部１２１、１２３は、充電装置１のケーシング内に形成される円筒形の凹部の内部に位置し、トリミング装置の囲い壁２５に関して上記されたものと同様に、この凹部の周囲壁１２５はハンドル及び充電装置の接触部の周囲の封止されたエンクロージャを形成するために機能する。
【００１８】
電池１３が十分に再充電されたとき、ハンドル２を再充電基部１から外すことができ、選択された動作ヘッド３、４が、装置の使用のために、ハンドルに係合することができる。しかしながら、電池が再充電されるプロセスにある装置の使用は不可能である。ハンドルと再充電装置の間に直接的な電気的接続が存在するため、速い充電速度を確実にすることができる。更に、ハンドルは、金属ケーシングで製造することができ、ハンドルを再充電装置に接続するためでもある、ハンドルから動作ヘッドへの電流を供給する接触部の使用により、再充電の目的のための追加的な接続の設立を避けることができる。
【００１９】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【００２０】
「発明を実施するための形態」で引用した全ての文献は、関連部分において本明細書に参考として組み込まれるが、いずれの文献の引用も、それが本発明に対する先行技術であることを容認するものと解釈されるべきではない。この文書における用語のいずれかの意味又は定義が、参照により組み込まれる文献における用語のいずれかの意味又は定義と対立する範囲については、本文書におけるその用語に与えられた意味又は定義を適用するものとする。
【００２１】
以上、本発明の特定の実施形態を図示、説明したが、本発明の趣旨及び範囲から逸脱することなく他の様々な変更及び改変を行うことが可能である点は当業者には自明であろう。したがって、本発明の範囲内にあるそのような全ての変更及び修正を、添付の特許請求の範囲で扱うものとする。
【図１】
2010536462.tif 000003
【図２】
2010536462.tif 000004
【図３】
2010536462.tif 000005
【図４Ａ】
2010536462.tif 000006
【図４Ｂ】
2010536462.tif 000007
【図４Ｃ】
2010536462.tif 000008
【図５】
2010536462.tif 000009
【図６】
2010536462.tif 000010
【図７】
2010536462.tif 000011
【国際調査報告】
2010536462.tif 000012
2010536462.tif 000013